(57)【要約】【課題】改札システムの効率化を図ることができる改札判定装置を提供すること。【解決手段】改札判定装置は、通信手段と、判定手段と、記憶手段とを備える。前記通信手段は、情報記憶媒体から読み取られた識別情報に基づく改札判定結果を出力する改札機から、前記識別情報を受信し、前記識別情報に対応する前記改札判定結果を前記改札機へ送信する。前記判定手段は、前記通信手段により受信した前記識別情報に対応する定期乗車区間情報又は金額情報に基づき改札の可否を判定し、前記識別情報に対応する前記改札判定結果を生成する。前記記憶手段は、前記識別情報に対応する前記改札判定結果を記憶する。【選択図】図２
2014182756.tif 000002
【特許請求の範囲】
【請求項１】
情報記憶媒体から読み取られた識別情報に基づく改札判定結果を出力する改札機から、前記識別情報を受信し、前記識別情報に対応する前記改札判定結果を前記改札機へ送信する通信手段と、
前記通信手段により受信した前記識別情報に対応する定期乗車区間情報又は金額情報に基づき改札の可否を判定し、前記識別情報に対応する前記改札判定結果を生成する判定手段と、
前記識別情報に対応する前記改札判定結果を記憶する記憶手段と、
を備える改札判定装置。
【請求項２】
前記通信手段は、前記識別情報に対応する前記改札判定結果を前記改札機へ送信し、さらに、端末装置からの前記識別情報に対応する前記改札判定結果の問い合わせに対して、前記識別情報に対応する前記改札判定結果を送信する請求項１の改札判定装置。
【請求項３】
前記判定手段は、前記識別情報に対応する履歴情報に基づき改札の可否を判定し、前記識別情報に対応する前記改札判定結果を生成する請求項２の改札判定装置。
【請求項４】
前記判定手段は、前記識別情報に対応する入出場履歴情報に基づき改札の可否を判定し、前記識別情報に対応する前記改札判定結果を生成する請求項３の改札判定装置。
【請求項５】
前記判定手段は、前記識別情報に対応する定期乗車区間情報、金額情報、及び入出場履歴情報のうちの少なくとも一つの情報に基づき改札を許可する場合、許可判定結果を生成し、これら情報のうちの少なくとも一つの情報に基づき改札を許可しない場合、不許可判定結果を生成し、
前記記憶手段は、前記識別情報に対応する前記許可判定結果又は前記不許可判定結果を記憶し、
前記通信手段は、前記識別情報に対応する前記許可判定結果又は前記不許可判定結果を前記改札機へ送信し、端末装置からの前記識別情報に対応する前記改札判定結果の問い合わせに対して、前記識別情報に対応する前記許可判定結果又は前記不許可判定結果を送信する請求項１乃至４の何れか一つの改札判定装置。
【請求項６】
情報記憶媒体から読み取られた識別情報を受信し、前記識別情報に基づく改札判定結果を改札判定装置へ問い合わせ、前記改札判定装置からの前記識別情報に基づく前記改札判定結果を受信する通信手段と、
前記改札判定結果を出力する出力手段と、
を備えた端末装置。
【請求項７】
改札機、改札判定装置、及び端末装置により構成される改札システムであって、
前記改札機は、情報記憶媒体から読み取られた識別情報を前記改札判定装置へ送信し、
前記改札判定装置は、前記改札機から送信される前記識別情報を受信し、受信した前記識別情報に対応する定期乗車区間情報又は金額情報に基づき改札の可否を判定し、前記識別情報に対応する前記改札判定結果を生成し、前記改札判定結果を記憶し、前記識別情報に対応する前記改札判定結果を前記改札機へ送信し、
前記改札機は、前記改札判定装置から送信される前記識別情報に対応する前記改札判定結果を受信し、前記改札判定結果を出力し、
前記端末装置は、前記情報記憶媒体から読み取られた前記識別情報を受信し、前記識別情報に基づく前記改札判定結果を前記改札判定装置へ問い合わせ、前記改札判定装置からの前記識別情報に対応する前記改札判定結果を受信し、前記改札判定結果を出力する改札システム。
【請求項８】
前記改札判定装置は、前記識別情報に対応する定期乗車区間情報、金額情報、及び入出場履歴情報のうちの少なくとも一つの情報に基づき改札を許可する場合、許可判定結果を生成し、前記許可判定結果を記憶し、これら情報のうちの少なくとも一つの情報に基づき改札を許可しない場合、不許可判定結果を生成し、前記不許可判定結果を記憶し、前記識別情報に対応する前記許可判定結果又は前記不許可判定結果を前記改札機へ送信し、
前記改札機は、前記改札判定装置から送信される前記識別情報に対応する前記許可判定結果又は前記不許可判定結果を受信し、前記許可判定結果又は前記不許可判定結果を出力し、
前記端末装置は、前記識別情報に基づく前記改札判定結果を前記改札判定装置へ問い合わせ、前記改札判定装置からの前記識別情報に対応する前記改札判定結果又は前記不許可判定結果を受信し、前記改札判定結果又は前記不許可判定結果を出力する請求項７の改札システム。
【請求項９】
前記改札判定装置は、前記識別情報に対応する前記入出場履歴情報に含まれる最新の履歴が入場記録である場合、入場改札を不許可と判定し出場改札を許可と判定し、前記識別情報に対応する前記入出場履歴情報に含まれる最新の履歴が出場記録である場合、出場改札を不許可と判定し入場改札を許可と判定する請求項８の改札システム。
【請求項１０】
前記端末装置は、出場記録の入力に対応して、前記識別情報に対応する前記入出場履歴情報に含まれる最新の履歴を入場記録から出場記録へ更新し、また、入場記録の入力に対応して、前記識別情報に対応する前記入出場履歴情報に含まれる最新の履歴を出場記録から入場記録へ更新する請求項９の改札システム。
【発明の詳細な説明】
【技術分野】
【０００１】
本発明の実施形態は、改札判定装置、端末装置、及び改札システムに関する。
【背景技術】
【０００２】
鉄道などの交通機関には様々な駅務機器が設置されている。例えば、改札口には複数台の自動改札機が設置され、自動改札機は、ＩＣカードの情報を読み取り、読み取った情報に基づき改札処理を実行し、改札の可否を判定し、改札判定結果を表示する。また、これら複数台の自動改札機に接続された監視盤が設置され、監視盤は、各自動改札機からの改札処理データを受信し蓄積する。
【０００３】
さらに、ＩＣカードによる改札処理エラー等に対応するために、係員窓口には窓口処理機が設置される。窓口処理機は、ＩＣカードリーダを備え、ＩＣカードリーダにより読み取れたカードデータを表示する。係員は、窓口処理機に表示されたカードデータを参照し、改札処理エラーの原因等を判断し、窓口処理機の入力部を介してＩＣカードに対して必要な情報を書き込み、ＩＣカードによる改札処理エラーを解消する。
【先行技術文献】
【特許文献】
【０００４】
【特許文献１】特開平０７−２００６８８号公報
【特許文献２】特開２００４−２７２５４４号公報
【発明の概要】
【発明が解決しようとする課題】
【０００５】
各自動改札機が改札の可否を判定しているので、１台あたりの設置コストが高い。また、自動改札機と窓口処理機の連携がなく改札処理エラーに効率良く対応することが難しい。
【０００６】
本発明の目的は、改札システムの効率化を図ることができる改札判定装置、端末装置、及び改札システムを提供することである。
【課題を解決するための手段】
【０００７】
実施形態に係る改札判定装置は、通信手段と、判定手段と、記憶手段とを備える。前記通信手段は、情報記憶媒体から読み取られた識別情報に基づく改札判定結果を出力する改札機から、前記識別情報を受信し、前記識別情報に対応する前記改札判定結果を前記改札機へ送信する。前記判定手段は、前記通信手段により受信した前記識別情報に対応する定期乗車区間情報又は金額情報に基づき改札の可否を判定し、前記識別情報に対応する前記改札判定結果を生成する。前記記憶手段は、前記識別情報に対応する前記改札判定結果を記憶する。
【図面の簡単な説明】
【０００８】
【図１】実施形態に係る改札システムの概略構成の一例を示す図である。
【図２】実施形態に係る改札システムを構成する各機器の概略構成の一例を説明するためのブロック図である。
【図３】実施形態に係る出場処理の一例を示す図である。
【図４】実施形態に係る異常処理の一例を示す図である。
【発明を実施するための形態】
【０００９】
以下、実施形態について図面を参照して説明する。
【００１０】
図１は、実施形態に係る改札システムの概略構成の一例を示す図である。図２は、実施形態に係る改札システムを構成する各機器の概略構成の一例を説明するためのブロック図である。
【００１１】
図１及び図２に示すように、改札システムは、改札機（入場）１、改札機（出場）２、駅制御装置（改札判定装置）３、タブレット端末（端末装置）４、上位装置５を備える。改札機１、２、駅制御装置３、タブレット端末４は、駅内部のネットワークを介して接続される。また、駅外部とのネットワークを介して、駅制御部３は、上位装置５と接続される。上位装置５に対しては、各駅に設置された駅制御部３が接続される。
【００１２】
改札機１は、制御部１１、ＩＣ＿Ｒ／Ｗ（リーダ／ライタ）１２、記憶部１３、通信部１４、出力部１５を備える。改札機１における各種処理は制御部１１により制御される。ＩＣ＿Ｒ／Ｗ１２は、情報記憶媒体としてのＩＣカードと接触又は非接触で通信し、ＩＣカードから情報（例えば識別情報のエンコードデータ）を読み取り、またＩＣカードに対して情報（例えば改札判定結果に対応するエンコードデータ）を書き込む。記憶部１３は、ＩＣカードから読み取った識別情報等を記憶する。通信部１４は、ＩＣカードから読み取った識別情報に対応する改札判定結果の要求等を駅制御装置３へ送信し、これに対応して駅制御装置３から送信される識別情報に対応する改札判定結果の応答等を受信する。出力部１５は、表示部を備え、受信した改札判定結果等を出力（表示）する。
【００１３】
改札機２は、改札機１と同様の構成であり、詳細説明は省略する。
【００１４】
ここで、ＩＣカードに記憶された情報について説明する。例えば、ＩＣカードは、少なくとも識別情報を記憶する。さらに、ＩＣカードは、定期乗車区間情報（例えば乗降可能な全ての駅の情報）、金額情報、処理履歴情報（例えば入場改札処理日時情報、出場改札処理日時情報）を記憶してもよい。ＩＣカードが、識別情報に加えて、定期乗車区間情報、金額情報、処理履歴情報を記憶する場合、改札機１は、ＩＣカードから、識別情報、定期乗車区間情報、金額情報、処理履歴情報を読み取り、これら識別情報、定期乗車区間情報、金額情報、処理履歴情報を駅制御装置３へ送信して、駅制御装置３から改札判定結果を受信する。
【００１５】
或いは、上位装置５が、ＩＣカードに記憶された識別情報に対応付けて、定期乗車区間情報（例えば乗降可能な全ての駅の情報）、金額情報、処理履歴情報（例えば入場改札処理日時情報、出場改札処理日時情報）を記憶してもよい。ＩＣカードが、識別情報を記憶し、上位装置が、ＩＣカードに記憶された識別情報に対応付けて、定期乗車区間情報、金額情報、処理履歴情報を記憶する場合、改札機１は、ＩＣカードから、識別情報を読み取り、識別情報を駅制御装置３へ送信して、駅制御装置３から改札判定結果を受信する。
【００１６】
駅制御装置３は、制御部３１、判定部３２、記憶部３３、通信部３４、出力部３５を備える。駅制御装置３における各種処理は制御部３１により制御される。通信部３４は、改札機１から送信される識別情報に対応する改札判定結果の要求等を受信し、識別情報に対応する改札判定結果の応答等を送信する。判定部３２は、識別情報に対応する定期乗車区間情報、金額情報、処理履歴情報に基づき、改札の可否を判定する。識別情報に対応する定期乗車区間情報、金額情報、処理履歴情報は、ＩＣカードから読み取った情報であってもよいし、上位装置から受信した情報であってもよい。
【００１７】
例えば、判定部３２は、定期乗車区間内の乗車であれば、許可判定（エンコード情報）を生成する。また、判定部３２は、定期乗車区間外の乗車であっても、金額情報により運賃を精算できる場合、許可判定（エンコード情報）を生成する。また、判定部３２は、定期乗車区間外の乗車であって、金額情報により運賃を精算できない場合、不許可判定（エンコード情報）を生成する。また、判定部３２は、前回の出場履歴がなく、今回が入場改札であれば、不許可判定（エンコード情報）を生成する。
【００１８】
記憶部３３は、識別情報に対応付けて改札判定結果を記憶する。通信部３４は、識別情報に対応する改札判定結果の応答を改札機１へ送信する。また、通信部３４は、上位装置５へ、識別情報に対応する改札判定結果を送信する。上位装置５は、各制御装置３からの改札判定結果を受信し記憶する。
【００１９】
タブレット端末４は、制御部４１、ＩＣ＿Ｒ／Ｗ４２、記憶部４３、通信部４４、入出力部４５を備える。タブレット端末４における各種処理は制御部４１により制御される。ＩＣ＿Ｒ／Ｗ４２は、情報記憶媒体としてのＩＣカードと接触又は非接触で通信し、ＩＣカードから情報（識別情報等）を読み取り、またＩＣカードに対して情報を書き込む。記憶部４３は、ＩＣカードから読み取った識別情報等を記憶する。通信部４４は、ＩＣカードから読み取った識別情報に対応する改札判定結果の問い合わせ等を駅制御装置３へ送信し、これに対応して駅制御装置３から送信される識別情報に対応する改札判定結果の応答等を受信する。入出力部５５は、受信した改札判定結果等を出力（表示）し、また、係員からの入力を受け付ける。ＩＣ＿Ｒ／Ｗ４２は、係員からの入力に対応して、必要な情報をＩＣカードに対して書き込む。
【００２０】
上記説明したように、改札システムは、ネットワークで接続された改札機１、２、駅制御装置３、タブレット端末４、上位装置５により構成され、改札機１、２は、ＩＣカードからの識別情報の読み取りと、改札判定結果の出力（表示）と、改札判定結果に対応する情報のＩＣカードへの書き込みとを実行し、駅制御装置３が、改札の可否を判定する。これにより、各改札機は、改札の可否を判定する構成を持たずに済み、各改札機の小型化、低下価格化を実現することができる。また、駅制御装置３が、一括して改札の可否を判定するため、一括して改札判定結果を蓄積することができる。また、タブレット端末４が、ＩＣカードからの識別情報を読み取ると、読み取った識別情報に対応する改札判定結果の問い合わせを駅制御装置３へ送信し、駅制御装置３から送信される識別情報に対応する改札判定結果の応答等を受信することができる。
【００２１】
次に図３を参照して、出場処理の一例について説明する。
【００２２】
改札機２は、ＩＣカードからエンコードデータを読み取り、駅制御装置３に対してエンコードデータを送信し、エンコードデータに対応する出場改札判定結果を要求する。駅制御装置３は、エンコードデータを受信し、エンコードデータに対応する定期乗車区間情報、金額情報、処理履歴情報に基づき、出場改札の可否を判定し、出場改札の可否判定に対応するエンコードデータを生成し、ＩＤデータを生成し、出場改札の可否判定に対応するエンコードデータを改札機２へ送信する。改札機２は、出場改札の可否判定に対応するエンコードデータを受信し、出場改札の可否判定に対応するエンコードデータをＩＣカードへ書き込み、駅制御装置３へエンコードの完了を通知する。駅制御装置３は、エンコードの完了通知を受信すると、生成したＩＤデータを上位装置５へ送信する。
【００２３】
次に図４を参照して、異常解除処理（強制出場）について説明する。
【００２４】
改札機１又は２は、ＩＣカードからエンコードデータを読み取り、駅制御装置３に対してエンコードデータを送信し、エンコードデータに対応する入場改札判定結果又は出場改札判定結果を要求する。駅制御装置３は、エンコードデータを受信し、エンコードデータに対応する定期乗車区間情報、金額情報、処理履歴情報に基づき、入場改札又は出場改札の可否を判定する。
【００２５】
例えば、処理履歴情報に含まれる最新の履歴が入場記録であれば、駅制御装置３は、入場改札不許可と判定し、入場改札不許可判定を改札機１へ送信する。改札機１は、入場改札不許可判定を受信し、入場改札不許可判定を出力（表示）する。
【００２６】
また、処理履歴情報に含まれる最新の履歴が入場記録であれば、駅制御装置３は、出場改札許可と判定し、出場改札許可判定を改札機２へ送信する。改札機２は、出場改札許可判定を受信し、出場改札許可判定を出力（表示）する。
【００２７】
また、処理履歴情報に含まれる最新の履歴が出場記録であれば、駅制御装置３は、出場改札不許可と判定し、出場改札不許可判定を改札機２へ送信する。改札機２は、出場改札不許可判定を受信し、出場改札不許可判定を出力（表示）する。
【００２８】
また、処理履歴情報に含まれる最新の履歴が出場記録であれば、駅制御装置３は、入場改札許可と判定し、入場改札許可判定を改札機１へ送信する。改札機１は、入場改札許可判定を受信し、入場改札許可判定を出力（表示）する。
【００２９】
入場不許可判定の場合、ユーザは、ＩＣカードを持って、窓口に出向く。窓口の係員は、ＩＣカードを受け取り、タブレット端末４を操作し、タブレット端末４が、ＩＣカードからエンコードデータを読み取り、駅制御装置３に対してエンコードデータを送信する。駅制御装置３は、エンコードデータを受信し、エンコードデータに基づき処理のログを検索し、タブレット端末４に対して処理のログを送信する。タブレット端末４は、処理のログを受信し、処理のログを出力（表示）する。係員は、処理のログから、最新の履歴が入場記録であることを知り、タブレット端末４に対して強制出場を入力する。これに対応して、タブレット端末４は、ＩＣカードのエンコードデータに強制出場を対応付け、ＩＣカードのエンコードデータに対応付けられた最新の履歴を入場記録から出場記録へ更新する。例えば、タブレット端末４は、ＩＣカードのエンコードデータに対応する強制出場を駅制御装置３へ送信し、駅制御装置３は、この強制出場に対応するエンコードデータを生成し、ＩＤデータを生成し、タブレット端末４へ強制出場に対応するエンコードデータを送信する。タブレット端末４は、強制出場に対応するエンコードデータをＩＣカードへ書き込み、駅制御装置３へエンコードの完了を通知する。駅制御装置３は、エンコードの完了通知を受信すると、生成したＩＤデータを上位装置５へ送信する。
【００３０】
出場不許可判定の場合、ユーザは、ＩＣカードを持って、窓口に出向く。窓口の係員は、ＩＣカードを受け取り、タブレット端末４を操作し、タブレット端末４が、ＩＣカードからエンコードデータを読み取り、駅制御装置３に対してエンコードデータを送信する。駅制御装置３は、エンコードデータを受信し、エンコードデータに基づき処理のログを検索し、タブレット端末４に対して処理のログを送信する。タブレット端末４は、処理のログを受信し、処理のログを出力（表示）する。係員は、処理のログから、最新の履歴が出場記録であることを知り、タブレット端末４に対して強制入場を入力する。これに対応して、タブレット端末４は、ＩＣカードのエンコードデータに強制入場を対応付け、ＩＣカードのエンコードデータに対応付けられた最新の履歴を出場記録から入場記録へ更新する。例えば、タブレット端末４は、ＩＣカードのエンコードデータに対応する強制入場を駅制御装置３へ送信し、駅制御装置３は、この強制入場に対応するエンコードデータを生成し、ＩＤデータを生成し、タブレット端末４へ強制入場に対応するエンコードデータを送信する。タブレット端末４は、強制入場に対応するエンコードデータをＩＣカードへ書き込み、駅制御装置３へエンコードの完了を通知する。駅制御装置３は、エンコードの完了通知を受信すると、生成したＩＤデータを上位装置５へ送信する。
【００３１】
以下、本実施形態についてまとめる。
【００３２】
（１）装置構成
駅制御装置３は、改札判定、強制出場、エンコード生成、ＩＤデータ生成等の機能を有し、さらに、ＩＤデータを上位装置５へ送信する機能を有する。また、接続された改札機１、２及びタブレット端末４の各種設定情報を保持する機能を有する。
【００３３】
改札機１、２は、ＩＣ＿Ｒ／Ｗを備え、改札判定機能を持たず、駅制御装置３との間でデータを送受信することで、入出場処理業務を実現する。
【００３４】
タブレット端末４は、ＩＣ＿Ｒ／Ｗを備え、駅制御装置３との間でデータを送受信することで、駅制御装置３に蓄積された改札処理ログを有効活用し、効率的に窓口処理業務を実現する。例えば、タブレット端末４は、改札機１、２の利用に対応する改札処理ログを駅制御装置３から受信し、表示することができる。また、タブレット端末４は、駅制御装置３にアクセスし、駅制御装置３が保持している改札機１、２及びタブレット端末４の各種設定情報を変更する機能を有する。さらに、タブレット端末４は、駅制御装置３との間でデータを送受信することにより、ＩＣカードに対するチャージや強制出場等の業務を実現することができる。
【００３５】
（２）動作
改札機１、２及びタブレット端末４はＩＣカードからエンコードデータを読み取り、駅制御装置３へエンコードデータ、実施したい業務に必要な入力情報を送信する。
【００３６】
駅制御装置３は、受信したデータ及び保持している改札機１、２やタブレット端末４の設定情報を元に、判定／エンコード生成／ＩＤデータ生成などを実施し、改札機１、２やタブレット端末４に判定結果や生成データを送信する。
【００３７】
改札機１、２及びタブレット端末４は、駅制御装置３から受信した判定結果や生成データを用いてＩＣカードにエンコードを行う。改札機１、２及びタブレット端末４は、エンコード完了を駅制御装置３へ通知する。
【００３８】
駅制御装置３は、エンコード完了通知を受信すると上位装置５へＩＤデータの送信を行う。
【００３９】
（３）効果
改札機でエラーになった際に、タブレット端末４が駅制御装置３から改札機のエラー内容を受信し、エラー内容の確認およびエラーに対する対処ができる。
【００４０】
１つのタブレット端末４で、窓口処理機／自動改札機の監視盤の両方の機能をシームレスに実現できる。
【００４１】
主要な処理を駅制御装置３で実施するため、改札機１、２の構成を簡素化でき、導入コストの低減が可能となる。
【００４２】
主要な処理を駅制御装置３で実施するため、タブレット端末４（汎用のハードウェア）が利用でき、導入コストの低減が可能となる。
【００４３】
主要な処理を駅制御装置３で実施するため、改造の際に駅制御装置３のみの改造で済み、改造費用の低減が可能となる。
【００４４】
以上により、改札機の監視盤および窓口処理機の機能をネットワーク経由で駅制御装置３に接続したタブレット端末４で実現し、設置機器および導入コストの削減を図ることができる。
【００４５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４６】
１…改札機（入場）、２…改札機（出場）、３…駅制御装置（改札判定装置）、４…タブレット端末（端末装置）、５…上位装置
【図１】
2014182756.tif 000003
【図２】
2014182756.tif 000004
【図３】
2014182756.tif 000005
【図４】
2014182756.tif 000006